(57)【要約】【課題】  市販の一般的な粘着テープによって手間が掛からず容易にゴミやホコリを粘着除去でき、しかも指がゴミやホコリで汚れてしまうことがなく、また使用済み部分を切断除去後、新たな粘着面を容易に反転して再露出できるようにする。【解決手段】  粘着テープＰの粘着面が表側となるように当該粘着テープＰを巻き返し固定した状態で、粘着テープＰ自体を保持してゴミやホコリ等を除去する回転保持具２と、粘着テープＰを保持させた状態の回転保持具２を回転可能にしてセットさせ、粘着テープＰ端をいったん剥がして巻き戻すように回転することで粘着テープＰの粘着面が表側となるように巻き返し可能とし、且つ使用済みの粘着テープＰをカットする切断刃１２を設けて成る粘着テープカッター具１１とを備える。【選択図】      図４
2005319067.tif 000002
【特許請求の範囲】
【請求項１】
巻回されている粘着テープを保持し、この粘着テープの粘着面が表側となるように当該粘着テープを巻き返し固定してゴミやホコリ等を除去する回転保持具と、回転保持具をセットしたまま粘着テープを巻き戻すように回転させることで粘着テープの粘着面を表側となるように巻き返し可能とし、且つ使用済みの粘着テープをカットする切断刃を設けて成る粘着テープカッター具とを備えて成ることを特徴とするゴミ取り器。
【請求項２】
回転保持具は、前後一対の基端枠部で左右アームを挟み込んだ状態で全体形状が略コ字枠状となるように形成した保持枠部と、保持枠部の基端枠部側から突設した把持部と、この保持枠部の左右アーム間に挟み込んだ状態で粘着テープが回転自在となるように枢着保持される回転ドラムとを備えて成る請求項１記載のゴミ取り器。
【請求項３】
粘着テープカッター具は、粘着テープの略下半分側が収容可能となる内部スペースを有した略矩形箱状に形成され、上部開口側の左右側壁内面それぞれの中央位置に配されて回転保持具の左右アームを係合させる中央縦枠部と、左右側壁内面それぞれの前側位置に配され、左右アームの前側面側を係止させる横枠部と、保持枠部の基端枠部側に接合する左右アームを載架させるよう上端を若干上方へ延出させて成る後側壁面とを備えて成る請求項１または２記載のゴミ取り器。
【請求項４】
保持枠部の左右アームには、中央縦枠部の上端面に係合可能な係合溝部を有する請求項２または３のいずれか記載のゴミ取り器。
【請求項５】
回転保持具を粘着テープカッター具に載架させたまま、粘着テープを切断刃よりも前方側に若干引き出し、その先端に仮止用テープの一端部を仮貼り付ける工程と、粘着テープカッター具に載架させた回転保持具に対して粘着テープを巻き戻すように略１回転させて全周に亘って粘着面を表側に反転させる工程と、仮貼り付け状態の粘着テープ先端側をいったん剥がして、粘着テープの折り返し部分に前記仮止用テープの他端部を貼着して当該折り返し部分と粘着テープ先端側とを接合させる工程と、粘着テープカッター具から回転保持具の把持部を取り出し、回転保持具に対して粘着テープを回転させてゴミやホコリ等を除去した後に、粘着テープカッター具に回転保持具を載架させた状態で仮止用テープを折り返し部分から剥がし、粘着テープを使用済みの折り返し部分位置まで手で引き出してから切断刃によって使用済み部分を切断する工程とによって構成されることを特徴としたゴミ取り器の使用方法。
【発明の詳細な説明】
【技術分野】
【０００１】
本発明は、市販の粘着テープをそのまま利用して、カーペットや衣類等に付着しているゴミやホコリ等を除去するゴミ取り器とその使用方法に関するものである。
【背景技術】
【０００２】
従来から、カーペットや衣類等に付着した細かい埃等を除去するには、例えば、市販されている荷作り用の粘着テープを１回毎に小さくちぎっておき、粘着面を表にして指に巻き付けてからカーペットや衣類等にあてがってゴミやホコリを除去している。
【０００３】
また特許文献１にあるように、粘着式クリーナーとして、表面に粘着面が形成されている粘着テープロールをハンドルを備えた略Ｔ字形のテープホルダーに着脱・回転自在にセットしたものがある。これによると、粘着テープロールの粘着面を被清掃面上で転動させてゴミ等を粘着するのであり、粘着力がなくなると１回転分だけ剥離除去し、新粘着面を露出して再度使用するものである。
【特許文献１】特開２００４−５７６０２号公報
【発明の開示】
【発明が解決しようとする課題】
【０００４】
しかしながら、小さくちぎった粘着テープをその粘着面を表にした状態で指等に巻き付けて使用するのは、非常に手間が掛かり、しかも粘着テープを指に直接巻き付けるため指がゴミやホコリで汚れてしまう等の問題点を有している。
【０００５】
一方、特許文献１にあるものでは、表面に予め粘着面が形成されている専用の粘着テープロールを特別に購入し、用意しなければならず、粘着テープロール自体にも一回毎に使用させるための予めのカット線を入れておいたり、使用しない収納保管時には、粘着面が表面に常時露出していることで、これを覆っておくカバーが必要とされたり、更には高価であったり等の問題点がある。
【０００６】
そこで本発明は叙上のような従来存した諸事情に鑑み創出されたもので、構造的に面倒な専用の粘着テープロールを使用せずに、一般的に市販されている例えば紙製粘着テープをそのまま利用することで安価に使用でき、また１回毎に小さくちぎった粘着テープを直接に指に巻き付けるという面倒さを無くすことで、手間が掛からず容易にゴミやホコリを除去することができ、しかも指がゴミやホコリで汚れてしまうことがないものとすると共に、ゴミ等を粘着させた使用済みの粘着テープ部分を簡単に切断除去でき、新規な粘着面を容易に反転して再露出できるものとしたゴミ取り器とその使用方法を提供することを目的とする。
【課題を解決するための手段】
【０００７】
上述した課題を解決するため、本発明にあっては、巻回されている粘着テープＰを保持し、この粘着テープＰの粘着面が表側となるように当該粘着テープＰを巻き返し固定してゴミやホコリ等を除去する回転保持具２と、回転保持具２をセットしたまま粘着テープＰを巻き戻すように回転させることで粘着テープＰの粘着面を表側となるように巻き返し可能とし、且つ使用済みの粘着テープＰをカットする切断刃１２を設けて成る粘着テープカッター具１１とを備えたゴミ取り器１とするものである。
回転保持具２は、前後一対の基端枠部３で左右アーム４Ａ，４Ｂを挟み込んだ状態で全体形状が略コ字枠状となるように形成した保持枠部５と、保持枠部５の基端枠部３側から突設した把持部６と、この保持枠部５の左右アーム４Ａ，４Ｂ間に挟み込んだ状態で粘着テープＰが回転自在となるように枢着保持される回転ドラム７とを備えて成るものとできる。
粘着テープカッター具１１は、粘着テープＰの略下半分側が収容可能となる内部スペースを有した略矩形箱状に形成され、上部開口側の左右側壁１７内面それぞれの中央位置に配されて回転保持具２の左右アーム４Ａ，４Ｂを係合させる中央縦枠部１３と、左右側壁１７内面それぞれの前側位置に配され、左右アーム４Ａ，４Ｂの前側面側を係止させる横枠部１４と、保持枠部５の基端枠部３側に接合する左右アーム４Ａ，４Ｂを載架させるよう上端を若干上方へ延出させて成る後側壁１６とを備えて成るものとできる。
保持枠部５の左右アーム４Ａ，４Ｂには、中央縦枠部１３の上端面に係合可能な係合溝部９を有するものとできる。
また、本発明に係るゴミ取り器１の使用方法にあっては、回転保持具２を粘着テープカッター具１１に載架させたまま、粘着テープＰを切断刃１２よりも前方側に若干引き出し、その先端に仮止用テープＱの一端部を仮貼り付ける工程と、粘着テープカッター具１１に載架させた回転保持具２に対して粘着テープＰを巻き戻すように略１回転させて全周に亘って粘着面を表側に反転させる工程と、仮貼り付け状態の粘着テープＰ先端側をいったん剥がして、粘着テープＰの折り返し部分Ｒに前記仮止用テープＱの他端部を貼着して当該折り返し部分Ｒと粘着テープＰ先端側とを接合させる工程と、粘着テープカッター具１１から回転保持具２の把持部６を取り出し、回転保持具２に対して粘着テープＰを回転させてゴミやホコリ等を除去した後に、粘着テープカッター具１１に回転保持具２を載架させた状態で仮止用テープＱを折り返し部分Ｒから剥がし、粘着テープＰを使用済みの折り返し部分Ｒ位置まで手で引き出してから切断刃１２によって使用済み部分を切断する工程とによって構成されるものとできる。
【０００８】
以上のように構成された本発明に係るゴミ取り器１とその使用方法にあって、回転保持具２は、把持部６を手で持って被清掃面上で粘着テープＰ自体を転動させるように操作することで、回転保持具２に対して粘着テープＰが回転しながらゴミやホコリ等を粘着除去させる。
また、粘着テープカッター具１１は、中央縦枠部１３の上端面に、回転保持具２における保持枠部５の左右アーム４Ａ，４Ｂの係合溝部９を係合させ、後側壁１６の上端に保持枠部５の基端枠部３側に接合する左右アーム４Ａ，４Ｂを載架させて回転保持具２全体を若干斜めに傾斜状態で配置させると同時に、左右アーム４Ａ，４Ｂの前側面側を横枠部１４の傾斜した一端面に係止保持させる。
さらに、粘着テープカッター具１１は、これに載架させた回転保持具２に対して、仮止用テープＱによって先端が固定されている粘着テープＰを手指等で巻き戻すように略１回転させることで全周に亘って粘着面を表側に反転させる。
切断刃１２は、粘着テープカッター具１１に回転保持具２を載架させた状態で、粘着テープＰにおけるゴミ等を粘着させた使用済みの折り返し部分Ｒ位置まで手で引き出してから使用済み部分を切断させる。
【発明の効果】
【０００９】
本発明によれば、従来のように１回毎に小さくちぎった粘着テープＰを直接指に巻き付けるという面倒さを無くすことで、手間が掛からず容易にゴミやホコリを粘着除去することができ、しかも指がゴミやホコリで汚れてしまうことがないのである。さらに使用後に粘着テープＰにおける新規の粘着面を容易に反転して再露出でき、しかも従来のようなテープクリーナーにあるように、特別に製作された専用テープロールを用意しておく必要もなく、一般的に市販されている安価な紙製等の粘着テープＰを利用できるので極めて便利である。
【００１０】
すなわちこれは本発明が、巻回されている粘着テープＰを保持し、この粘着テープＰの粘着面が表側となるように当該粘着テープＰを巻き返し固定してゴミやホコリ等を除去する回転保持具２と、回転保持具２をセットしたまま回転させることで粘着テープＰの粘着面を表側となるように巻き返し可能とし、且つ使用済みの粘着テープＰをカットする切断刃１２を設けて成る粘着テープカッター具１１とを備えて成るからである。
【００１１】
回転保持具２は、前後一対の基端枠部３で左右アーム４Ａ，４Ｂを挟み込んだ状態で全体形状が略コ字枠状となるように形成した保持枠部５と、保持枠部５の基端枠部３側から突設した把持部６と、この保持枠部５の左右アーム４Ａ，４Ｂ間に挟み込んだ状態で粘着テープＰが回転自在となるように枢着保持される回転ドラム７とを備えて成るので、把持部６を例えば手で持って操作することで、回転保持具２に対して粘着テープＰがカーペットや衣類その他の被清掃面上を回転しながらゴミやホコリ等を容易に除去させることができる。
【００１２】
粘着テープカッター具１１は、粘着テープＰの略下半分側が収容可能なる内部スペースを有した略矩形箱状に形成され、上部開口側の左右側壁内面１７それぞれの中央位置に配されて回転保持具２の左右アーム４Ａ，４Ｂを係合させる中央縦枠部１３と、左右側壁内面１７それぞれの前側位置に配され、左右アーム４Ａ，４Ｂの前側面側を係止させる横枠部１４と、保持枠部５の基端枠部３側に接合する左右アーム４Ａ，４Ｂを載架させるよう上端を若干上方へ延出させて成る後側壁１６とを備えて成るので、回転保持具２全体を若干斜めに位置決め配置させて取り出し易い状態に、また回転操作が容易な状態にして確実に保持させておくことができる。そればかりでなく、粘着テープカッター具１１に載架させた回転保持具２に対して、仮止用テープＱによって先端が固定されている粘着テープＰを手指等で巻き戻すように略１回転させることで全周に亘って新規な粘着面を表側に容易に反転させることができ、新たな粘着面を折り返し反転させて再露出させることができ、しかもこの操作も極めて簡単で、面白みをもって行うことができる。
【００１３】
保持枠部５の左右アーム４Ａ，４Ｂには、中央縦枠部１３の上端面に係合可能な係合溝部９を有するので、仮止用テープＱによって先端が固定されている粘着テープＰの回転に際し、粘着テープカッター具１１に対する回転保持具２の位置ズレを未然に防止することができ、確実な保持状態として回転操作等を容易にさせ、粘着テープＰ用の通常のテープカッターとしても利用できるのである。
【００１４】
また、本発明の使用方法にあっては、回転保持具２を粘着テープカッター具１１に載架させたまま、粘着テープＰを切断刃１２よりも前方側に若干引き出し、その先端に仮止用テープＱの一端部を仮貼り付ける工程と、粘着テープカッター具１１に載架させた回転保持具２に対して粘着テープＰを巻き戻すように略１回転させて全周に亘って粘着面を表側に反転させる工程と、仮貼り付け状態の粘着テープＰ先端側をいったん剥がして、粘着テープＰの折り返し部分Ｒに前記仮止用テープＱの他端部を貼着して当該折り返し部分Ｒと粘着テープＰ先端側とを接合させる工程と、粘着テープカッター具１１から回転保持具２の把持部６を取り出し、回転保持具２に対して粘着テープＰを回転させてゴミやホコリ等を除去した後に、粘着テープカッター具１１に回転保持具２を載架させた状態で仮止用テープＱを折り返し部分Ｒから剥がし、粘着テープＰを使用済みの折り返し部分Ｒ位置まで手で引き出してから切断刃１２によって使用済み部分を切断する工程とによって構成されるので、１回毎に小さくちぎった粘着テープＰを直接指に巻き付けるという従来の如き面倒さを無くすことができ、しかも指がゴミやホコリで汚れてしまうことなく、使用後のゴミ等を付着させた粘着面を、粘着テープＰにおける新規な粘着面を容易に再露出させることができる。
【００１５】
そればかりでなく、粘着テープカッター具１１は巻回されている粘着テープＰを、この粘着テープＰが一般的に汎用されている粘着面が露出されていないものでよく、これをそのままで回転保持具２によって回転自在に保持させるから、この粘着テープＰのテープカッターとしても利用できるのである。そのため、粘着テープカッター具１１に、回転保持具２によって粘着テープＰを保持させておくことで、ゴミ取り器としても、一般的なテープカッターとしても利用できる汎用性を備えたものとできるのである。
【００１６】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１７】
以下図面を参照して本発明を実施するための最良の一形態を説明すると、図において示される符号１は、市販の例えば紙製、布製等の粘着テープＰを装着して使用するゴミ取り器であって、このゴミ取り器は、図２に示すように、ドーナツ状に巻回されている粘着テープＰの粘着面が表側となるように当該粘着テープＰを巻き返して固定してからコロコロと回転させてカーペットや衣類等の被清掃面に付着しているゴミやホコリ等を除去するための回転保持具２と、回転保持具２をセットしたまま回転させることで粘着テープＰの粘着面が表側となるように巻き返し可能とし、且つ使用後の粘着テープＰをカットする切断刃１２を設けて成る粘着テープカッター具１１とを備えている。
【００１８】
回転保持具２は、図１に示すように、前後一対の帯板状の基端枠部３で左右アーム４Ａ，４Ｂを挟み込んだ状態で全体形状が略コ字枠状となるように左右アーム４Ａ，４Ｂを基端枠部３から一方に向けて突設して成る保持枠部５と、保持枠部５の基端枠部３側から他方に向けて突設した棒状のハンドルとなる把持部６とを有して成り、この保持枠部５の左右アーム４Ａ，４Ｂ間に挟み込んだ状態で粘着テープＰが回転自在となるように枢着保持されるよう回転ドラム７を備えた構成としてある。
【００１９】
すなわち保持枠部５に対する粘着テープＰの取り付けに際し、ドーナツ状に巻回されている粘着テープＰの中央孔に予め回転ドラム７を若干きつめに嵌め込んでおき、この回転ドラム７中央に穿設した貫通孔７Ａと、左右アーム４Ａ，４Ｂそれぞれの先端側に形成した取付孔４Ｃとを互いに合致させ、左右アーム４Ａ，４Ｂそれぞれの外側から、互いに円筒形状を呈して回転軸となる雌ビス８Ａと雄ビス８Ｂとの相互をねじ込みあるいは嵌め込み等によって粘着テープＰ自体を回転可能に枢着保持するものとしてある。
【００２０】
また、図２、図３に示すように、左右アーム４Ａ，４Ｂ下縁側で取付孔の近傍箇所には、略楔形凹状の係合溝部９が形成され、粘着テープカッター具１１の後述する中央縦枠部１３の上端面に係合溝部９を係合して載架させるようにしてある。
【００２１】
粘着テープカッター具１１は、図２に示すように、粘着テープＰの略下半分側が収容可能となる内部スペースを有した略矩形箱状に形成されており、底側は場合によっては開口されている。そして、上部開口側の左右側壁１７内面それぞれの中央位置には縦長の中央縦枠部１３が固定配置され、また左右側壁１７内面それぞれの前側位置には、一端面が上方側に向けて若干傾斜して成る横枠部１４が固定配置され、さらに後側壁１６の上端は若干上方へ延出させてある。
【００２２】
粘着テープＰを枢着保持させた回転保持具２を粘着テープカッター具１１に載架するに際し、図３に示すように、粘着テープカッター具１１の中央縦枠部１３の上端面に保持枠部５の左右アーム４Ａ，４Ｂの係合溝部９が係合され、後側壁１６の上端に保持枠部５の基端枠部３側に接合する左右アーム４Ａ，４Ｂが載架されて回転保持具２全体が若干斜めに傾斜状態で配置されると同時に、左右アーム４Ａ，４Ｂの前側面側は横枠部１４の傾斜した一端面に係止保持されるようにしてある。
【００２３】
また、粘着テープカッター具１１の前側壁１５の上端面は、若干の幅員を有することで粘着テープＰの粘着面が仮貼り付け可能となるようにすると共に、前側壁１５から若干の離間長さを隔てて、前方傾斜状態に切断刃１２を配置してある。この粘着面の仮貼り付けに際しては、粘着テープＰを枢着保持させた回転保持具２を粘着テープカッター具１１に載架させたまま、粘着テープＰを切断刃１２よりも前方側に若干引き出しておき、その先端に仮止用テープＱにおける粘着面の一端部を貼り付けるものとしておく。
【００２４】
粘着面の反転に際し、図４に示すように、粘着テープカッター具１１に載架させた回転保持具２に対して粘着テープＰを手指等で巻き戻すように略１回転させて粘着テープＰを先端側から順次捲り剥がして行き、全周に亘って粘着面を表側に反転させた後、仮貼り付け状態の粘着テープＰ先端側をいったん剥がして、粘着テープＰの折り返し部分Ｒに前記仮止用テープＱの他端部を貼着して当該折り返し部分Ｒと粘着テープＰ先端側とを接合しておく。そして、粘着テープカッター具１１から回転保持具２の把持部６を手指等で持って取り出し、回転保持具２に対して粘着テープＰをコロコロと回転させるようにしてカーペットや衣類等の被清掃面に付着しているゴミやホコリ等を除去するものとしてある。
【００２５】
また、使用後の粘着テープＰの切断に際し、図５に示すように、粘着テープカッター具１１に回転保持具２を載架させた状態で仮止用テープＱを折り返し部分Ｒから剥がし、粘着テープＰを使用済みの折り返し部分Ｒ位置まで手で引き出してから切断刃１２によって使用済み部分を切断した後、仮止用テープＱを剥がして再度粘着テープＰの切断先端位置に貼着されるものとしてある。
【００２６】
尚、粘着テープカッター具１１の左右側壁１７内面と後側壁１６との接合箇所には縦長の補強枠部１８が配置固定され、下面四隅に位置する前側壁１５の左右側、補強枠部１８それぞれの下面には滑り止め用のクッション部材１９が付設されている。
【００２７】
次に、回転保持具２に装着されている粘着テープＰの粘着面を、粘着テープカッター具１１によって表側に反転させる手順と、使用後の粘着テープＰを粘着テープカッター具１１によって切断する手順について図４、図５に基づき詳細に説明する。
【００２８】
先ず、図４（ａ）に示すように、粘着テープＰが回転ドラム７によって回転自在に保持された回転保持具２を粘着テープカッター具１１に載架しておき、粘着テープＰの粘着面の仮貼り付けを粘着テープカッター具１１の前側壁１５の上端面に対して行っておく。すなわち、粘着テープＰを枢着保持させた回転保持具２を粘着テープカッター具１１に載架させたまま、粘着テープＰを切断刃１２よりも前方側に若干引き出してから粘着テープカッター具１１の前側壁１５の上端面に仮貼り付けしておく。また、その先端には仮止用テープＱの貼着面の半分を予め貼り付けておく。
【００２９】
粘着面を反転する場合には、図４（ｂ）に示すように、粘着テープカッター具１１に載架させた回転保持具２に対して粘着テープＰを手指等で巻き戻すように略１回転（図において反時計方向）させて粘着テープＰを先端側から順次捲り剥がして行く。そして、全周に亘って粘着面を表側に反転させた後、図４（ｃ）に示すように、仮貼り付け状態の粘着テープＰ先端側を前側壁１５の上端面からいったん剥がして、粘着テープＰの折り返し部分Ｒに前記仮止用テープＱの自由状態の他端部を貼着することで当該折り返し部分Ｒと粘着テープＰ先端側とを接合しておく。そして、粘着テープカッター具１１から回転保持具２の把持部６を手で持って取り出し、回転保持具２に対して粘着テープＰを被清掃面上でコロコロと回転させるようにしてカーペットや衣類等に付着しているゴミやホコリ等を除去する。
【００３０】
また、使用済み粘着テープＰを切断する場合には、図５に示すように、粘着テープカッター具１１に回転保持具２を載架させた状態で仮止用テープＱを折り返し部分Ｒから剥がし、粘着テープＰを使用済みの折り返し部分Ｒ位置まで手で引き出してから切断刃１２によって使用済み部分を切断して廃棄した後、粘着テープＰを切断刃１２よりも前方側に若干引き出してから粘着テープカッター具１１の前側壁１５の上端面に仮貼り付けしておく。そして、仮止用テープＱを再度粘着テープＰの切断先端位置に貼着しておき、前記と同様な手順で粘着テープＰを巻き戻すように粘着面を反転すれば良く、この反転操作によって新たな粘着面を再露出させるのである。
【００３１】
一方、通常のテープカッターとして使用する場合には、図５に示すように回転保持具２を粘着テープカッター具１１に載架しておき、そのままで粘着テープＰを引き出し、切断刃にて切断し、使用すれば良い。
【００３２】
また、図６、図７には本発明を実施するための他の最良の形態におけるゴミ取り器が示されている。すなわち、このゴミ取り器１には、回転保持具２をセットしたまま回転させることで粘着テープＰの粘着面が表側となるように巻き返し可能となり、しかも粘着テープＰの略全体が収容可能となる内部スペースを有した略矩形箱状に形成され、底側は開口されて成る載架台２１を備えたものとしてある。尚、回転保持具２の構成は、前記した実施の形態と略同じなので、その詳細な説明は省略する。
【００３３】
図６に示すように、載架台２１は、上部開口側の左右側壁２２内面それぞれには一対の縦長の縦枠部２２Ａ，２２Ｂが離間配置され、また正面側壁２３、後側壁２４それぞれの上端は若干上方へ延出させてある。この左右側壁２２内面それぞれの一対の縦枠部２２Ａ，２２Ｂの離間距離は、回転保持具２の保持枠部５における左右アーム４Ａ，４Ｂの横幅員に対応させることで、図７に示すように、回転保持具２を載架台２１に係合させた状態で載架させた際に、一対の縦枠部２２Ａ，２２Ｂ上面に基端枠部３側面が掛架されるようにしてある。
【００３４】
そして粘着テープＰを枢着保持させた回転保持具２を粘着テープカッター具１１に載架するに際し、図６（ａ）に示すように、粘着テープカッター具１１の一方の縦枠部２２Ａ，２２Ｂの上端面に保持枠部５の左右アーム４Ａ，４Ｂの下側の係合溝部９が係合され、正面側壁２３または後側壁２４の何れかの上端に保持枠部５の基端枠部３側に接合する左右アーム４Ａ，４Ｂが載架されて回転保持具２全体が若干斜めの傾斜状態で配置されるようにしてある。
【００３５】
また、粘着テープカッター具１１に対し、粘着面の仮貼り付けを行う場合には、粘着テープＰを枢着保持させた回転保持具２を粘着テープカッター具１１に載架させたまま、粘着テープＰを前方側に若干引き出してから回転保持具２の基端枠部３に仮止用テープＱによって仮貼り付けしておく。このとき仮止用テープＱとしては、別構成のシールテープを使用しても良いが、この他、粘着テープＰの一部を切り取って使用しても良い。
【００３６】
次に、粘着面を反転する場合には、図６（ｂ）に示すように、載架台２１に載架させた回転保持具２に対して粘着テープＰを手指等で巻き戻すように略１回転させて粘着テープＰを先端側から順次捲り剥がして行く。そして、全周に亘って粘着面を表側に反転させた後、仮貼り付け状態の粘着テープＰ先端側の仮止用テープＱを回転保持具２の基端枠部３からいったん剥がして、粘着テープＰの折り返し部分Ｒに前記仮止用テープＱの残り半分を貼着して当該折り返し部分Ｒと粘着テープＰ先端側とを接合しておく。そして、載架台２１から回転保持具２の把持部６を手で持って取り出し、回転保持具２に対して粘着テープＰを被清掃面上でコロコロと回転させるようにしてカーペットや衣類等に付着しているゴミやホコリ等を除去する。
【００３７】
使用しないときには、図７に示すように、回転保持具２を載架台２１に載架収容しておくことができる。このとき、一対の縦枠部２２Ａ，２２Ｂ上面に基端枠部３側面が掛架される状態となる。
【産業上の利用可能性】
【００３８】
上記した構成の粘着テープカッター具１１は、ゴミ取り器１として使用しない場合には、種々の粘着テープＰを切断するための通常のテープカッターとしても使用できる。
【図面の簡単な説明】
【００３９】
【図１】本発明を実施するための最良の形態におけるゴミ取り器における回転保持具を示す分解斜視図である。
【図２】同じくゴミ取り器を粘着テープカッター具に載架装着する状態を示す斜視図である。
【図３】同じくゴミ取り器を粘着テープカッター具に載架装着した状態を示す斜視図である。図である。
【図４】粘着テープカッター具によって粘着テープの粘着面を表側に反転させる作業手順を示すもので、（ａ）は反転前の一部切欠断面図、（ｂ）は反転途中の一部切欠断面図、（ｃ）は反転後において粘着テープの先端部を、引き出された粘着テープの折り返し部分に固定させた状態の一部切欠断面図である。
【図５】ゴミ取り使用後で、回転保持具を粘着テープカッター具に載架して粘着テープを切断する状態を示す一部切欠断面図である。
【図６】本発明を実施するための他の最良の形態におけるゴミ取り器の粘着テープの粘着面を表側に反転させる作業手順を示すもので、（ａ）は反転前の斜視図、（ｂ）は反転後において粘着テープの先端部を、引き出された粘着テープの折り返し部分に固定させる状態の斜視図である。
【図７】同じく不使用時におけるゴミ取り器の収納状態を示す斜視図である。
【符号の説明】
【００４０】
Ｐ…粘着テープ                          Ｑ…仮止用テープ
Ｒ…折り返し部分
１…ゴミ取り器                          ２…回転保持具
３…基端枠部                            ４Ａ，４Ｂ…左右アーム
４Ｃ…取付孔                            ５…保持枠部
６…把持部                              ７…回転ドラム
７Ａ…貫通孔                            ８Ａ…雌ビス
８Ｂ…雄ビス                            ９…係合溝部
１１…粘着テープカッター具              １２…切断刃
１３…中央縦枠部                        １４…横枠部
１５…前側壁                            １６…後側壁
１７…左右側壁                          １８…補強枠部
１９…クッション部材
２１…載架台                            ２２…左右側壁
２２Ａ，２２Ｂ…縦枠部                  ２３…正面側壁
２４…後側壁
【図１】
2005319067.tif 000003
【図２】
2005319067.tif 000004
【図３】
2005319067.tif 000005
【図４】
2005319067.tif 000006
【図５】
2005319067.tif 000007
【図６】
2005319067.tif 000008
【図７】
2005319067.tif 000009